(57)【要約】【課題】ＰＣ（コンピュータ）１０に保有されている非圧縮の高音質のＷＡＶファイルを、ＰＤ（携帯型デジタルオーディオプレーヤ）１１のＨＤＤに、その制限された容量にもかかわらず、十分な個数、格納できるようにするとともに、ＰＤ１１において、ＷＡＶファイルと同等の高音質のオーディオ再生を可能にする。【解決手段】ユーザがＰＣ１０からＰＤ１１への転送を指定した音楽ファイルが非圧縮のＷＡＶファイルである場合（Ｓ２１の判定が「正」）、該ＷＡＶファイルを可逆圧縮のロスレス圧縮ファイルへ変換する（Ｓ２２）。そして、可逆圧縮のロスレス圧縮ファイル（転送ファイルＸ）を暗号化したもの（転送ファイルＺ）をＰＣ１０からＰＤ１１へ転送する（Ｓ２６）。【選択図】図２
2007141333.tif 000002
【特許請求の範囲】
【請求項１】
指定されたオーディオファイルを検出する検出手段と、
前記検出手段で検出されたファイルが所定の状態のオーディオファイルであるとき、可逆圧縮処理して圧縮ファイルを生成する圧縮手段と、
を備えるオーディオファイル処理装置。
【請求項２】
オーディオプレーヤのオーディオファイル記憶手段に転送が指示されたオーディオファイルが、当該オーディオファイル生成時に情報の損失を伴わないファイルであるか否かを検出する検出手段と、
前記検出手段で検出されたオーディオファイルが、情報の損失を伴わずに生成されたオーディオファイルであると検出されたとき、当該オーディオファイルを可逆圧縮する圧縮手段と、
前記圧縮手段で圧縮されたオーディオファイルを前記オーディオプレーヤのオーディオファイル記憶手段に転送する転送手段と、
を備えるオーディオファイル処理装置。
【請求項３】
オーディオプレーヤのオーディオファイル記憶手段に転送が指示されたオーディオファイルが、当該オーディオファイル生成時に情報の損失を伴わないファイルであるか否かを検出する検出手段と、
前記検出手段で検出されたオーディオファイルが、情報の損失を伴わずに生成されたオーディオファイルであると検出されたとき、当該オーディオファイルを所定の情報損失の範囲内で非可逆圧縮する圧縮手段と、
前記圧縮手段で圧縮されたオーディオファイルを前記オーディオプレーヤのオーディオファイル記憶手段に転送する転送手段と、
を備えるオーディオファイル処理装置。
【請求項４】
前記検出手段は更にファイル形式を検出し、
前記検出手段で検出されたオーディオファイルのファイル形式が所定のファイル形式とは異なるファイル形式の場合、当該オーディオファイルを復号処理する復号手段を更に備え、
前記圧縮手段は、前記復号処理されたオーディオファイルを前記可逆圧縮処理する、
請求項１〜３のいずれか一項に記載のオーディオファイル処理装置。
【請求項５】
前記オーディオファイル生成時に情報の損失を伴わないファイルとは少なくともＷＡＶフォーマットを含む請求項２又は３記載のオーディオファイル処理装置。
【請求項６】
前記情報の損失が所定の範囲内で生成されるオーディオファイルとは、所定のビットレート以上のオーディオファイルである、請求項３に記載のオーディオファイル処理装置。
【請求項７】
指定されたファイルが情報の損失を使って生成されたファイルの場合、指定されたファイルに圧縮処理を施さずに転送することを特徴とする請求項２記載のオーディオファイル処理装置。
【請求項８】
オーディオプレーヤのオーディオファイル記憶手段に転送が指示されたオーディオファイルが、当該オーディオファイル生成時に情報の損失を伴わないファイルであるか否かを検出する検出ステップと、
前記検出ステップにおいて、オーディオファイルが、情報の損失を伴わずに生成されたオーディオファイルであると検出されたとき、当該オーディオファイルを可逆圧縮する圧縮ステップと、
前記圧縮ステップで圧縮されたオーディオファイルを前記オーディオプレーヤのオーディオファイル記憶手段に転送する転送ステップと、
を備えるオーディオファイル処理方法。
【請求項９】
オーディオプレーヤのオーディオファイル記憶手段に転送が指示されたオーディオファイルが、当該オーディオファイル生成時に情報の損失を伴わないファイルであるか否かを検出する検出ステップと、
前記検出ステップにおいて、オーディオファイルが、情報の損失を伴わずに生成されたオーディオファイルであると検出されたとき、当該オーディオファイルを所定の情報損失の範囲内で非可逆圧縮する圧縮ステップと、
前記圧縮ステップで圧縮されたオーディオファイルを前記オーディオプレーヤのオーディオファイル記憶手段に転送する転送ステップと、
を備えるオーディオファイル処理方法。
【発明の詳細な説明】
【技術分野】
【０００１】
本発明は、例えばパーソナルコンピュータ等の情報処理装置に実装されてデジタルオーディオプレーヤ用メモリへオーディオファイルを転送するオーディオファイル処理装置及びオーディオファイル処理方法に関するものである。
【背景技術】
【０００２】
ＰＣ（パーソナルコンピュータ）のユーザは、ＣＤの音楽データをＭＰ３（MPEG Audio Layer-３ ）やＷＭＡ（Windows Media Audio ）等の非可逆の圧縮のオーディオファイルへ変換して、ＨＤＤ（ハードディスク）に格納し、ＰＣにおいてそれらオーディオファイルから音楽等のオーディオを再生し、鑑賞している。ユーザは、さらに、ＰＣへ携帯型デジタルオーディオプレーヤ（以下、適宜、「ＰＤ（Portable Device）」という。）を接続して、ＰＣ内のオーディオファイル転送ソフトを使用して、ＰＣのＨＤＤからＰＤのフラッシュメモリやＨＤＤの記憶装置へＭＰ３やＷＭＡ等のオーディオファイルを転送し、ＰＤにおいてＭＰ３やＷＭＡ等のオーディオファイルからオーディオを再生している。
【０００３】
一方、近年のＨＤＤの大容量化に伴い、圧縮率はＭＰ３等のオーディオファイルに比して低いが、音質の高いオーディオファイルをＨＤＤに格納し、これらのオーディオファイルから高音質のオーディオを再生するユーザが増えて来ている。このような高音質のオーディオファイルとしては、非圧縮のＷＡＶファイルの他に、例えばＯｇｇ   ＦＬＡＣ(Free Lossless Audio Codec)等のロスレス圧縮（可逆圧縮）オーディオファイルが知られている。
【０００４】
一方、特許文献１は、記憶容量に制限のある記憶装置に、ファイルを効率的に格納するために、ファイルを専用符号化プログラム又は汎用符号化プログラムを使用して、圧縮することを開示する。特許文献１は、専用符号化プログラムに対して、汎用符号化プログラムはロスレス型（可逆）圧縮を行うものと規定するとともに（特許文献１の段落０００９）、ＷＡＶファイルについては、専用符号化プログラムにより圧縮すること（特許文献１の図３）を開示する。
【０００５】
従来のオーディオファイル転送ソフトは、ＰＣからＰＤへのオーディオファイルの転送に当たり、著作権保護上、転送に先立ち暗号化することはあり得るものの、その他の圧縮等の処理は行うことなく、ＰＣのオーディオファイルをそのままＰＤへ転送している。しかしながら、ＰＤのＨＤＤの容量はＰＣのものに比して、小さいものが採用されているので、従来のオーディオファイル転送ソフトを使って、高音質のオーディオファイルをＰＤのＨＤＤへそのまま転送すると、ＰＤのＨＤＤに、格納できるオーディオファイルの個数はわずかになってしまう。
【０００６】
これを解決するために、高音質のオーディオファイルについて、圧縮してから、ＰＤへ転送することが考えられるが、ＭＰ３のような非可逆の圧縮を採用すると、ＰＣにおけるせっかくの高音質オーディオファイルがＰＤでは音質低下したオーディオファイルとなり、ＰＤにおいても高音質の音楽を鑑賞したいというユーザの希望が果たせられない。
【０００７】
また、ＰＤでは、あらゆるフォーマットのオーディオファイルの再生に対応することは、コスト等の都合上、困難であり、再生に対応できるオーディオファイルのフォーマットは、例えば、ＭＰ３，ＷＭＡ及び非圧縮又は圧縮のＷＡＶというように、多数のユーザに使用されているフォーマットのオーディオファイルに限定されたものとなっている。
【０００８】
ＰＤへオーディオファイルを転送するオーディオファイル転送ソフトは、ＰＤの所定の機種専用となっている場合が一般的であり、このような一般的なオーディオファイル転送ソフトは、ＰＤと同様に、コスト等の都合上、広範な機能に対処することは困難であり、ＣＤのオーディオデータをＭＰ３等の可逆圧縮のオーディオファイルへ変換する機能や、高音質のフォーマットではあるが少数派に留まっているフォーマットのオーディオファイルを、ＰＤにおいて再生可能なフォーマットのオーディオファイルへ変換する機能等は、省略している。したがって、ＰＤにおいて再生に対応していない高音質フォーマットのオーディオファイルに係るオーディオを、ＰＤにおいて再生可能にするためには、ユーザは、再度、音楽ＣＤをドライブにセットして、ＰＤにおける再生に対応している高音質フォーマットのオーディオファイルへ変換する必要があり、作業が煩雑になる。
【特許文献１】特開２００５−８６３１５号公報
【発明の開示】
【発明が解決しようとする課題】
【０００９】
上述のように、ＰＣが取り扱い得るオーディオファイル形式は様々であるが、オーディオプレーヤに転送するオーディオファイルの高音質を保つためにロスレス圧縮を施すには、ロスレス圧縮を施すオーディオファイルがそもそも高音質である必要がある。つまり、ＭＰ３などのように、そのファイル自体が圧縮時に情報の損失を伴って圧縮されているようなファイル、いわゆる非可逆圧縮ファイルに対し、ロスレス圧縮を施してもあまり意味はない。
【００１０】
本発明は、ロスレス圧縮を施す対象のオーディオファイルに着目し、ロスレス圧縮を施すのに相応しいオーディオファイルであるか否かの検出に基づいてロスレス圧縮（若しくはロスレス圧縮相当）を実行するオーディオファイル処理装置及びオーディオファイル処理方法を提供することである。
【課題を解決するための手段】
【００１１】
本発明の第１のオーディオファイル処理装置は次の手段を備えている。
指定されたオーディオファイルを検出する検出手段、及び
検出手段で検出されたファイルが所定の状態のオーディオファイルであるとき、可逆圧縮処理して圧縮ファイルを生成する圧縮手段。
【００１２】
本発明の第２のオーディオファイル処理装置は次の手段を備えている。
オーディオプレーヤのオーディオファイル記憶手段に転送が指示されたオーディオファイルが、当該オーディオファイル生成時に情報の損失を伴わないファイルであるか否かを検出する検出手段、
検出手段で検出されたオーディオファイルが、情報の損失を伴わずに生成されたオーディオファイルであると検出されたとき、当該オーディオファイルを可逆圧縮する圧縮手段、及び
圧縮手段で圧縮されたオーディオファイルをオーディオプレーヤのオーディオファイル記憶手段に転送する転送手段。
【００１３】
本発明の第３のオーディオファイル処理装置は次の手段を備えている。
オーディオプレーヤのオーディオファイル記憶手段に転送が指示されたオーディオファイルが、当該オーディオファイル生成時に情報の損失を伴わないファイルであるか否かを検出する検出手段、
検出手段で検出されたオーディオファイルが、情報の損失を伴わずに生成されたオーディオファイルであると検出されたとき、当該オーディオファイルを所定の情報損失の範囲内で非可逆圧縮する圧縮手段、及び
圧縮手段で圧縮されたオーディオファイルをオーディオプレーヤのオーディオファイル記憶手段に転送する転送手段。
【００１４】
本発明の第１のオーディオファイル処理方法は次のステップを備えている。
オーディオプレーヤのオーディオファイル記憶手段に転送が指示されたオーディオファイルが、当該オーディオファイル生成時に情報の損失を伴わないファイルであるか否かを検出する検出ステップ、
検出ステップにおいて、オーディオファイルが、情報の損失を伴わずに生成されたオーディオファイルであると検出されたとき、当該オーディオファイルを可逆圧縮する圧縮ステップ、及び
圧縮ステップで圧縮されたオーディオファイルをオーディオプレーヤのオーディオファイル記憶手段に転送する転送ステップ。
【００１５】
本発明の第２のオーディオファイル処理方法は次のステップを備えている。
オーディオプレーヤのオーディオファイル記憶手段に転送が指示されたオーディオファイルが、当該オーディオファイル生成時に情報の損失を伴わないファイルであるか否かを検出する検出ステップ、
検出ステップにおいて、オーディオファイルが、情報の損失を伴わずに生成されたオーディオファイルであると検出されたとき、当該オーディオファイルを所定の情報損失の範囲内で非可逆圧縮する圧縮ステップ、
圧縮ステップで圧縮されたオーディオファイルをオーディオプレーヤのオーディオファイル記憶手段に転送する転送ステップ。
【発明の効果】
【００１６】
本発明によれば、ＰＣ等の情報処理装置における高音質のオーディオファイルを、転送先において、その高音質性を保持しつつ再生可能とするとともに、格納上の支障を排除する。
【発明を実施するための最良の形態】
【００１７】
図１はコンピュータ１０からＨＤＤ携帯デジタルオーディオプレーヤ１１へ音楽ファイルを転送する状況についての説明図である。ユーザは、ＵＳＢケーブル１２等のケーブルを介してコンピュータ１０とＨＤＤ携帯デジタルオーディオプレーヤ１１の間を接続してから、コンピュータ１０内の所定の音楽ファイル転送ソフトを起動する。次に、ユーザは、コンピュータ１０のディスプレイ１３において転送ファイルを選択し、転送を実行する。これに伴い、コンピュータ１０のＨＤＤ内の音楽ファイルに対して、所定の処理が行われ、処理済みの音楽ファイルがＵＳＢケーブル１２を介してＨＤＤ携帯デジタルオーディオプレーヤ１１のＨＤＤへ転送される。
【００１８】
図２は音楽ファイル転送ソフトにおける音楽ファイル処理方法２０の転送ルーチンのフローチャートである。音楽ファイル処理方法２０は、ＨＤＤ携帯デジタルオーディオプレーヤ１１についての所定のメーカーの所定の機種用の音楽ファイル転送ソフトに準拠したものとなっている。また、該音楽ファイル転送ソフトはコンピュータ１０に実装されるものであり、該音楽ファイル転送ソフトが前提としているＨＤＤ携帯デジタルオーディオプレーヤ１１がオーディオを再生できる音楽ファイルは、非圧縮のＷＡＶファイル、非圧縮のＷＡＶファイルから生成した所定の可逆圧縮ファイル（ロスレス圧縮ファイル）、ＭＰ３ファイル，及びＷＭＡファイルだけとする。なお、ＭＰ３及びＷＭＡのファイルは非可逆の圧縮の音楽ファイルである。
【００１９】
音楽ファイル処理方法２０は、ユーザがコンピュータ１０の音楽ファイルをＨＤＤ携帯デジタルオーディオプレーヤ１１へ転送する要求を出すと、実行される。転送要求は、具体的には、ユーザが音楽ファイル転送ソフトのアイコンをクリックしたり、所定のメニュー項目から転送指示を選択したりすることにより行われる。
【００２０】
説明の便宜上、転送要求のあった音楽ファイルを「音楽ファイルＭ」と名付ける。Ｓ２１では、音楽ファイルＭが非圧縮のＷＡＶファイルであるか否かを判定する。そして、判定結果が正であれば、Ｓ２２へ進み、否であれば、Ｓ２４へ進む。Ｓ２２の判定結果が否である場合とは、音楽ファイルＭがＭＰ３又はＷＭＡのファイルである場合である。
【００２１】
Ｓ２２では、コンピュータ１０のＲＡＭ上で、非圧縮の音楽ファイルＭに可逆圧縮処理を施し、ロスレス圧縮ファイルを生成する。説明の便宜上、変換して生成されたロスレス圧縮ファイルを「ロスレス圧縮ファイルＮ」と名付ける。典型的には、音楽ファイルＭは、ロスレス圧縮ファイルＮの生成後も、削除されることなく、ＰＣ内のＨＤＤに残される。
【００２２】
Ｓ２３では、ロスレス圧縮ファイルＮを転送ファイルＸとしてみなし、その後、Ｓ２５へ進む。
【００２３】
Ｓ２４では、音楽ファイルＭを転送ファイルＸとしてみなし、その後、Ｓ２５へ進む。
【００２４】
Ｓ２５では、転送ファイルＸに暗号処理を施して転送ファイルＺを作成する。該暗号処理は、著作権保護のために行うものである。音楽ファイルＭが、ユーザ自身が作成したオリジナルの音楽ファイルである場合等のコピー自由な音楽ファイルＭについては、暗号化処理を省略できるように、ユーザが、暗号化処理の実施及び非実施を適宜、選択する段階を用意することもできる。
【００２５】
Ｓ２６では、転送ファイルＺをＨＤＤ携帯デジタルオーディオプレーヤ１１へ転送する。典型的には、Ｓ２６における転送ファイルＺの転送後、ＰＣ内に生成されたロスレス圧縮ファイルNはＰＣのＨＤＤから削除される。これにより、コンピュータ１０のＨＤＤの記録残量の低減を回避することができる。また、転送ファイルZに暗号化処理を施す場合は、可逆圧縮のフォーマットをユーザから隠蔽することもでき、リエンジニアリングを回避できる。
【００２６】
なお、音楽ファイルＭは、ロスレス圧縮ファイルＮの削除後も、コンピュータ１０のＨＤＤ内に残される。
【００２７】
ＨＤＤ携帯デジタルオーディオプレーヤ１１では、コンピュータ１０から転送された転送ファイルＺをそのまま内蔵ＨＤＤ（図示せず）へ格納する。そして、該ファイルＺを再生するときは、暗号化を解除して、ロスレス圧縮ファイルＮ、または音楽ファイルＭの状態に戻し、さらにこれを復号して再生する。
【００２８】
図３はオーディオファイル処理装置３０のブロック図である。オーディオファイル処理装置３０は、検出手段３１、圧縮手段３２及び転送手段３３を備えている。オーディオファイル処理装置３０は、例えばコンピュータ１０にオーディオファイル処理ソフトとして実装される。オーディオファイル処理装置３０は、コンピュータ１０以外に、ＣＤプレーヤやオーディオシステムの所定のオーディオ装置に実装されてもよい。オーディオファイル処理装置３０の一例は、音楽ファイル処理方法２０（図２）の各ステップをコンピュータ１０に実現させるプログラムである。
【００２９】
検出手段３１は、ユーザがデジタルオーディオプレーヤ用メモリ３５への転送を指定したオーディオファイルを検出する。圧縮手段３２は、指定オーディオファイルが、所定のフォーマットのオーディオファイルであってかつ非圧縮のオーディオファイル、具体的には一例としてＷＡＶファイルである場合には、デジタルオーディオプレーヤが再生可能としている可逆（ロスレス）圧縮のオーディオファイルを転送が指定されたオーディオファイルからの変換により生成する。転送手段３３は、可逆圧縮のオーディオファイルに基づくオーディオファイルをデジタルオーディオプレーヤ用メモリ３５へ転送する。
【００３０】
転送手段３３における「可逆圧縮のオーディオファイルに基づくオーディオファイル」は、可逆圧縮のオーディオファイル自体であってもよいし、可逆圧縮のオーディオファイルを、著作権保護上、暗号化したものであってもよい。
【００３１】
デジタルオーディオプレーヤは、例えば図１のＨＤＤ携帯デジタルオーディオプレーヤ１１であるが、これに限定されず、非携帯型のものであってもよいし、ＨＤＤ以外の例えばフラッシュメモリ装備のものであってもよい。また、ＨＤＤ若しくはフラッシュメモリを備える車載用オーディオプレーヤであってもよい。デジタルオーディオプレーヤ用メモリ３５は、典型的には、デジタルオーディオプレーヤに着脱不能に内蔵されているものであるが、これに限定されず、デジタルオーディオプレーヤに、着脱可能に装着されているものであってもよい。
【００３２】
デジタルオーディオプレーヤ用メモリ３５は、典型的には、デジタルオーディオプレーヤに内蔵されている状態で、転送手段３３から、可逆圧縮のオーディオファイルに基づくオーディオファイルを転送されるが、これに限定されず、デジタルオーディオプレーヤから取り外されている状態で、転送手段３３から、可逆圧縮のオーディオファイルに基づくオーディオファイルを転送されてもよい。
【００３３】
所定のフォーマットとは少なくともＷＡＶフォーマットを含む。また、デジタルオーディオプレーヤが再生可能としている可逆圧縮のオーディオファイルとは、非圧縮のＷＡＶファイルを可逆圧縮したオーディオファイルを少なくとも含む。非圧縮のＷＡＶファイルは、情報の損失を伴わずに生成されたものである。したがって、一般的には高音質のままのオーディオファイルである。また、非圧縮のＷＡＶファイルを可逆圧縮したオーディオファイルは、非圧縮のＷＡＶファイルに対してロスレスであり、非圧縮のＷＡＶファイルの再生の場合と同様に、高音質の再生を維持する。
【００３４】
元オーディオファイルを可逆圧縮で変換して生成した生成オーディオファイルは、元オーディオファイルに対して、音質の低下が０となっているとともに、ファイルサイズが大幅に減少している。したがって、高音質でかつデジタルオーディオプレーヤにおいて再生可能なオーディオファイルを、デジタルオーディオプレーヤ用メモリ３５に、十分な個数、格納できる。
【００３５】
以下、オーディオファイル処理装置３０についての種々の好ましい態様について説明する。
【００３６】
オーディオファイル処理装置３０は、さらに、変換手段３８を備える。変換手段３８は、指定オーディオファイルが、所定のフォーマットとは異なるフォーマットのオーディオファイルであり、かつデジタルオーディオプレーヤが再生不能としている非圧縮又は可逆圧縮のオーディオファイルである場合には、指定オーディオファイルを所定のフォーマットのオーディオファイルへ変換する。また、圧縮手段３２は、指定オーディオファイルが、所定のフォーマットとは異なるフォーマットのオーディオファイルであり、かつデジタルオーディオプレーヤが再生不能としている、情報の損失がない非圧縮又は可逆圧縮のオーディオファイルである場合には、指定オーディオファイルを変換した所定のフォーマットのオーディオファイルを元オーディオファイルとして取り扱う。
【００３７】
一方、指定オーディオファイルが、所定のフォーマットのオーディオファイルである場合には、指定オーディオファイルをそのまま圧縮手段３２に伝送し、圧縮手段３２は、受信したオーディオファイルを元オーディオファイルとして取り扱う。
【００３８】
尚、変換手段３８は、指定オーディオファイルが、所定のフォーマットとは異なるフォーマットのオーディオファイルであり、かつデジタルオーディオプレーヤが再生不能としている非可逆圧縮のオーディオファイルである場合にも、指定オーディオファイルを所定のオーディオファイル、例えば一例としてＷＡＶファイルに変換し、圧縮手段３２は、変換手段３８から受信した所定のフォーマットのオーディオファイルを元オーディオファイルとして取り扱う。
【００３９】
上述のように、変換手段３８が、指定オーディオファイルが所定のフォーマットとは異なるフォーマットのオーディオファイルであり、かつデジタルオーディオプレーヤが再生不能としている、情報の損失がない非圧縮又は可逆圧縮のオーディオファイルである場合には、指定オーディオファイルを所定のフォーマットのオーディオファイルへ変換するようにしたのは、デジタルオーディオプレーヤが、すべてのフォーマットの可逆圧縮のオーディオファイルの再生に対処することはコスト上、困難なためである。一方、非圧縮のＷＡＶ以外の特定の非圧縮のオーディオファイルや、可逆圧縮のオーディオファイルを作成するソフトには、それらフォーマットのオーディオファイルから、ユーザ数の多い非圧縮のＷＡＶファイルを作成する機能が実装されることが多い。変換手段３８は、例えば、それらソフトにおける非圧縮のＷＡＶファイルへの変換機能を利用して、非圧縮のＷＡＶファイルを作成するようにしてもよい。
【００４０】
オーディオファイル処理装置３０は選択検出手段４０を備えている。選択検出手段４０は、可逆圧縮変換の要否についてのユーザ選択を検出する。そして、選択検出手段４０によってユーザが可逆圧縮変換の「否」を選択していることが検出された場合には、圧縮手段３２は受信した元オーディオファイルに可逆圧縮処理を施すことなく転送手段３３に元オーディオファイルを出力する。また、元オーディオファイルが所定のフォーマットのオーディオファイルでない場合、つまり、非圧縮のオーディオファイルでない場合にも、圧縮手段３２は受信した元オーディオファイルに可逆圧縮処理を施すことなく転送手段３３に元オーディオファイルを出力する。一方、ユーザが可逆圧縮変換の「要」を選択していることを選択検出手段４０が検出した場合には、圧縮手段３２は、受信した元オーディオファイルが非圧縮のオーディオファイルである場合に、可逆圧縮処理を施して転送手段３３に可逆圧縮処理後のオーディオファイルを出力する。
【００４１】
転送手段３３は、指定オーディオファイルに対応し、デジタルオーディオプレーヤが再生可能としているオーディオファイル、つまり指定オーディオファイルに対応する非可逆圧縮ファイル、可逆圧縮ファイル若しくは非圧縮ファイルをデジタルオーディオプレーヤへ転送する。
【００４２】
典型的なデジタルオーディオプレーヤにおいて、「デジタルオーディオプレーヤが再生可能としている非可逆の圧縮のオーディオファイル」とは、ＭＰ３やＷＭＡのオーディオファイルであり、非圧縮のオーディオファイルとはＷＡＶファイルである。
【００４３】
こうして、ユーザは、希望により、非圧縮のオーディオファイルをデジタルオーディオプレーヤ用メモリにそのまま格納して、デジタルオーディオプレーヤにおいて再生して、非圧縮のオーディオファイルから直接、高音質のオーディオを鑑賞することもでき、可逆圧縮のオーディオファイルをデジタルオーディオプレーヤ用メモリに格納して、デジタルオーディオプレーヤにおいて再生して、データ容量を抑えながらデータが無損失のオーディオファイルから高音質のオーディオを鑑賞することもできる。
【００４４】
また、可逆圧縮を必要としないファイル、つまり転送が指定された時点で既に非可逆圧縮が施されているファイルについては、可逆圧縮処理を施さずに転送してＰＤのメモリのデータ容量を十分抑えながら従来の利便性を確保している。
【００４５】
また、転送が指定されたファイルがＰＤで再生不能なファイルの場合には、ＰＤが再生可能なファイル（例えばＷＡＶファイル）に変換するようにしたので、ＰＤで再生対応していないファイルの転送が指示されても、ＰＤで対応するオーディオを聴取することが可能になる。
【００４６】
図４はオーディオファイル処理装置４５のブロック図である。オーディオファイル処理装置４５は、検出手段４６、圧縮手段４７及び転送手段４８を備えている。
【００４７】
検出手段４６は、ユーザによりデジタルオーディオプレーヤ用メモリ５１への転送を指定されたオーディオファイルを検出する。圧縮手段４７は、指定オーディオファイルが、所定のフォーマットのオーディオファイルであってかつ非圧縮のオーディオファイルである場合には、指定オーディオファイルを所定ビットレート以上、具体的には３２０ｋｂｐｓ以上のオーディオファイルに非可逆圧縮処理する。転送手段４８は、非可逆の圧縮のオーディオファイルをデジタルオーディオプレーヤ用メモリ５１へ転送する。
【００４８】
「所定ビットレート以上である非可逆の圧縮のオーディオファイル」における該所定ビットレートとは、例えば、ＭＰ３やＷＭＡにおける３２０ｋｂｐｓより大きい値であり、「所定ビットレート以上である非可逆の圧縮のオーディオファイル」は、非可逆にあるにもかかわらず、それから十分に高品質のオーディオを再生することができる。
【００４９】
このように、オーディオファイル処理装置４５では、オーディオファイル処理装置３０の場合とは異なり、転送指示されたオーディオファイルが損失を伴わずに生成されたファイルである場合には、所定のビットレートを有するオーディオファイルに非可逆圧縮処理する。これによって、デジタルオーディオプレーヤにおいて再生可能なオーディオファイルを、デジタルオーディオプレーヤ用メモリ３５に、十分な個数、格納することができる。
【００５０】
図５はオーディオファイル処理方法５５のフローチャートである。オーディオファイル処理方法５５はオーディオファイル処理装置３０（図３）の機能を方法化したものである。オーディオファイル処理装置３０に適用した具体的態様は、オーディオファイル処理方法５５にも適用可能である。オーディオファイル処理方法５５の一例は音楽ファイル処理方法２０（図２）である。
【００５１】
最初に主要部のＳ５６→Ｓ５７→Ｓ５８→Ｓ５９→Ｓ６０について説明する。Ｓ５６では、ユーザによりデジタルオーディオプレーヤ用メモリ３５への転送を指定されたオーディオファイルを検出する。Ｓ５７では、指定オーディオファイルが、所定のフォーマットのオーディオファイルであってかつ非圧縮のオーディオファイルであるか否かを判定し、判定結果が正である場合、Ｓ５８において、指定オーディオファイルを元オーディオファイルとして取り扱う。Ｓ５９では、デジタルオーディオプレーヤが再生可能としている可逆圧縮のオーディオファイルを元オーディオファイルからの変換により生成する。Ｓ６０では、可逆圧縮のオーディオファイルに基づくオーディオファイルをデジタルオーディオプレーヤ用メモリ３５へ転送する。
【００５２】
以下、オーディオファイル処理方法５５の好ましい態様について説明する。
【００５３】
Ｓ５７の判定結果が否である場合、Ｓ６２へ進む。Ｓ６２では、指定オーディオファイルが、デジタルオーディオプレーヤが再生可能としている非可逆の圧縮のオーディオファイルであるか否かを判定し、判定結果が正である場合、すなわち指定されたファイルが情報の損失を使って生成されたファイルの場合、Ｓ７０へ進む。Ｓ７０では、指定オーディオファイルに基づくオーディオファイルをデジタルオーディオプレーヤへ転送する。
【００５４】
Ｓ６２の判定結果が否である場合、Ｓ６３へ進む。Ｓ６３では、指定オーディオファイルが、所定のフォーマットとは異なるフォーマットのオーディオファイルであって、かつデジタルオーディオプレーヤが再生不能としている、情報の損失がない非圧縮又は可逆圧縮のオーディオファイルであるか否かを判定する。
【００５５】
Ｓ６３の判定結果が正である場合は、Ｓ６４へ進み、否である場合は、オーディオファイル処理方法５５を終了する。Ｓ６４では、指定オーディオファイルを所定のフォーマットのオーディオファイルへ変換する。尚、上記に加えて、デジタルオーディオプレーヤで再生不能で、且つ非可逆圧縮のオーディオファイルである場合にも、Ｓ６４において、指定オーディオファイルを所定のフォーマットのオーディオファイルへ変換するようにしても良い。Ｓ６５では、指定オーディオファイルを変換した所定のフォーマットのオーディオファイルを元オーディオファイルとして取り扱うことにし、Ｓ５９へ進む。
【００５６】
Ｓ６２における判定結果が正である場合、Ｓ７０へ進む。Ｓ７０では、指定オーディオファイルに基づくオーディオファイルをデジタルオーディオプレーヤへ転送する。
【００５７】
Ｓ７３をＳ５８の前に、挿入してもよい。Ｓ７３では、ユーザ選択が可逆圧縮変換の要否のどちらにあるかを判定する。判定結果が正である場合は、前述のＳ５８へ進み、否であるは場合は、Ｓ７０へ進む。Ｓ７０では、所定のフォーマットへの変換を省略した元オーディオファイルに基づくオーディオファイルをデジタルオーディオプレーヤへ転送する。
【００５８】
図６はオーディオファイル処理方法８０のフローチャートである。オーディオファイル処理方法８０はオーディオファイル処理装置４５（図４）の機能を方法化したものである。オーディオファイル処理装置４５に適用した具体的態様は、オーディオファイル処理方法５５にも適用可能である。オーディオファイル処理方法８０はＳ８１〜Ｓ８５を備えている。なお、Ｓ８１〜Ｓ８３は図５のＳ５６〜Ｓ５８と同一である。
【００５９】
Ｓ８１では、ユーザが圧縮手段４７への転送を指定したオーディオファイルを検出する。Ｓ８２では、指定オーディオファイルが、所定のフォーマットのオーディオファイルであってかつ非圧縮のオーディオファイルであるか否かを判定する。判定結果が正である場合は、Ｓ８３へ進む。Ｓ８３では、指定オーディオファイルを元オーディオファイルとして取り扱う。
【００６０】
Ｓ８４では、デジタルオーディオプレーヤが再生可能としていて所定ビットレート（例えば、３２０ｋｂｐｓ）以上である非可逆の圧縮のオーディオファイルを元オーディオファイルからの変換により生成する。Ｓ８５では、非可逆の圧縮のオーディオファイルに基づくオーディオファイルをデジタルオーディオプレーヤへ転送する。
【００６１】
本発明を適用したプログラムは、オーディオファイル処理装置３０又は４５の各手段としてコンピュータを機能させる。本発明を適用した別のプログラムは、オーディオファイル処理方法２０，５５又は８０の各ステップをコンピュータに実行させる。
【００６２】
本発明を最良の形態について説明したが、本発明は、これに限定されるものではなく、発明の要旨を逸脱しない範囲で最良の形態における各構成要素を変形して具体化できる。また、最良の形態に開示されている複数の構成要素の便宜な組み合わせにより、種々の発明を形成できる。例えば、最良の形態に示される全構成要素からいくつかの構成要素を削除してもよい。さらに、異なる最良の形態に係る構成要素同士を組み合わせることもできる。
【図面の簡単な説明】
【００６３】
【図１】コンピュータからＨＤＤ携帯デジタルオーディオプレーヤへ音楽ファイルを転送する状況についての説明図である。
【図２】音楽ファイル転送ソフトにおける音楽ファイル処理方法の転送ルーチンのフローチャートである。
【図３】オーディオファイル処理装置のブロック図である。
【図４】別のオーディオファイル処理装置のブロック図である。
【図５】オーディオファイル処理方法のフローチャートである。
【図６】別のオーディオファイル処理方法のフローチャートである。
【符号の説明】
【００６４】
３０：オーディオファイル処理装置、３１：検出手段、３２：圧縮手段、３３：転送手段、３５：デジタルオーディオプレーヤ用メモリ、３８：変換手段、４０：選択検出手段、４５：オーディオファイル処理装置、４６：検出手段、４７：圧縮手段、４８：転送手段、５１：デジタルオーディオプレーヤ用メモリ、５５：オーディオファイル処理方法、８０：オーディオファイル処理方法。
【図１】
2007141333.tif 000003
【図２】
2007141333.tif 000004
【図３】
2007141333.tif 000005
【図４】
2007141333.tif 000006
【図５】
2007141333.tif 000007
【図６】
2007141333.tif 000008